(57)【特許請求の範囲】
【請求項１】
基材層とアルミニウム箔層と中間フィルム層と易剥離性樹脂層を有する積層フィルムからなり、前記積層フィルムの前記易剥離性樹脂層面同士を対向させ重ね合わせ周縁部に周縁熱接着部が形成された構成の易開封袋であって、前記アルミニウム箔層が厚さ１５〜３０μｍのアルミニウム箔からなり、前記周縁熱接着部の外周端に沿って狭幅の熱プレス部が連続して形成され、前記熱プレス部における前記易剥離性樹脂層の厚さが薄くされた構成からなることを特徴とする防湿性の優れた易開封袋。
【請求項２】
前記中間フィルム層の内面側に金属または金属酸化物からなる蒸着層が形成された構成であることを特徴とする請求項１記載の防湿性の優れた易開封袋。
【請求項３】
前記中間フィルム層が２軸延伸ポリエチレンテレフタレートフィルムとされた構成からなることを特徴とする請求項１または２に記載の防湿性の優れた易開封袋。
【発明の詳細な説明】
【０００１】
【発明の属する技術分野】
本発明は、熱接着部を剥離して容易に開口させることができる防湿性の優れた易開封袋に関する。
【０００２】
【従来の技術】
従来、湿気による影響を受けやすい電子部品や医療用器具、特定の薬剤等を包装するための易開封袋としては、基材フィルムとアルミニウム箔と中間フィルムと易剥離性樹脂層が積層された積層フィルムからなる適度の可撓性と剛性を備えた構成のものが知られている。
上記構成の易開封袋において、アルミニウム箔の厚さが薄い場合にはアルミニウム箔にピンホールの発生が避けられないために、積層フィルムの面を通しての防湿性が不十分であるとともに、周縁の熱接着部におけるアルミニウム箔の内側に積層されている中間フィルムと易剥離性樹脂層の断面を通しての吸湿に対する防湿性が不十分であるという欠点がある。
【０００３】
【発明が解決しようとする課題】
本発明の目的は、袋の面を通しての吸湿および周縁熱接着部の断面を通しての吸湿を防止できる優れた防湿性を有するとともに適度の可撓性と剛性を備えた易開封袋を提供することである。
【０００４】
【課題を解決するための手段】
基材層とアルミニウム箔層と中間フィルム層と易剥離性樹脂層を有する積層フィルムからなり、前記積層フィルムの前記易剥離性樹脂層面同士を対向させ重ね合わせ周縁部に周縁熱接着部が形成された構成の易開封袋であって、前記アルミニウム箔層が厚さ１５〜３０μｍのアルミニウム箔からなり、前記周縁熱接着部の外周端に沿って狭幅の熱プレス部が連続して形成され、前記熱プレス部における前記易剥離性樹脂層の厚さが薄くされた構成とすることにより、厚さが１５μｍ以上のアルミニウム箔の場合にはアルミニウム箔にピンホールがなくなるため、袋の面を通しての防湿性が完全であり、且つ適度の可撓性と剛性を備えた易開封袋とすることができる。
【０００５】
さらに、前記周縁熱接着部の外周端に沿って狭幅の熱プレス部が連続して形成され、前記熱プレス部における前記易剥離性樹脂層の厚さが薄くされた構成とすることにより、周縁熱接着部の外周端におけるアルミニウム箔の内側に積層されている易剥離性樹脂層の断面積が小さくなるため、周縁熱接着部における易剥離性樹脂層の断面を通しての吸湿を少なくした防湿性の優れた易開封袋とすることができる。
【０００６】
上記の防湿性の優れた易開封袋において、中間フィルム層の内面側に金属または金属酸化物からなる蒸着層を形成した構成とすることにより、周縁熱接着部における中間フィルム層の断面を通しての吸湿を金属または金属酸化物からなる蒸着層にて遮断することができるので、周縁熱接着部におけるアルミニウム箔の内面側に積層された中間フィルム層と易剥離性樹脂層の断面からの吸湿を小さくすることが可能であり防湿性の優れた易開封袋とすることができる。
【０００７】
上記の防湿性の優れた易開封袋において、中間フィルム層が２軸延伸ポリエチレンテレフタレートフィルムとされた構成とすることにより、２軸延伸ポリエチレンテレフタレートフィルムが耐熱性に優れるため、金属または金属酸化物からなる蒸着層を厚く形成することが可能となり、周縁熱接着部における断面からの吸湿を易剥離性樹脂層の断面からの吸湿のみとすることができる。
【０００８】
【発明の実施の形態】
以下、図面を引用して本発明の実施の形態を説明する。
図１は本発明の第１実施形態を示す平面図、図２は図１におけるＩ−Ｉ拡大断面図、図３は本発明の第２実施形態の図２に対応する拡大断面図であって、２は周縁熱接着部、３は熱プレス部、４は摘み部、５は内容物、10, 10' は積層フィルム、11は基材層、12はアルミニウム箔層、13は中間フィルム層、14は蒸着層、15は易剥離性樹脂層をそれぞれ表す。
【０００９】
本発明の第１実施形態は、図１、図２に示すとおりであり、外面から順に基材層11とアルミニウム箔層12と中間フィルム層13と易剥離性樹脂層15が積層され、アルミニウム箔層12の厚さを１５〜３０μｍとした４角形状の２枚の積層フィルム10の易剥離性樹脂層15面を重ね合わせて、角部に非熱接着部とした開封用の摘み部４を残した状態で周縁部に周縁熱接着部２を形成して内容物５を密封するとともに、周縁熱接着部２の外周端に沿って狭幅の熱プレス部３が形成されて、熱プレス部３において易剥離性樹脂層15が厚さの薄い易剥離性樹脂層15' とされている構成である。積層フィルム10を基材層11とアルミニウム箔層12と中間フィルム層13と易剥離性樹脂層15からなる構成とすることにより、易開封袋に適度の可撓性と剛性を付与することができるので袋の取扱いおよび開封が容易となる。
【００１０】
第１実施形態のように厚さが１５〜３０μｍのアルミニウム箔を使用することにより、アルミニウム箔の場合には厚さが１５μｍ以上になるとピンホールの発生がなくなるため、積層フィルム10にて作製される袋の面を通しての防湿性が完全なものとなる。そして、周縁熱接着部２の外周端に沿って狭幅の熱プレス部３を形成することにより、周縁熱接着部２におけるアルミニウム箔層12の内側に積層されている易剥離性樹脂層15が厚さの薄い易剥離性樹脂層15' とされて断面積が小さくなっており、周縁熱接着部２における易剥離性樹脂層15の断面を通しての吸湿が少なくなるので、袋の面および周縁熱接着部２における断面を通しての防湿性が優れたものとなる。
【００１１】
本発明の第２実施形態の周縁熱接着部２における断面構成は、図３に示すとおりであり、外面から順に基材層11とアルミニウム箔層12と中間フィルム層13と蒸着層14と易剥離性樹脂層15が積層された積層フィルム10' とされている点で異なる以外は第１実施形態と同じ構成である。第２実施形態においては、中間フィルム層13の内面側に金属または金属酸化物の蒸着層14が形成されているため、周縁熱接着部２において中間フィルム層13の断面を通しての吸湿が遮断されるので、袋の吸湿は周縁熱接着部２において易剥離性樹脂層15が厚さの薄い易剥離性樹脂層15' とされた断面を通しての吸湿のみとなり、袋の面および周縁熱接着部２におけるアルミニウム箔層12の内面側に積層された層の断面を通しての吸湿が少なくなりきわめて防湿性が優れたものとなる。
【００１２】
第２実施形態の場合、中間フィルム層13として２軸延伸ポリエチレンテレフタレートフィルムを使用することにより、２軸延伸ポリエチレンテレフタレートフィルムは耐熱性が優れるため、金属または金属酸化物からなる蒸着層を厚く形成することができるので、周縁熱接着部２における中間フィルム層13の断面を通しての吸湿をより確実に遮断することができる効果がある。
【００１３】
熱プレス部３を形成することにより、熱プレスにより薄くなった易剥離性樹脂層15' の厚さを易剥離性樹脂層15の厚さの６０〜７０％の厚さにできるので、易剥離性樹脂層15' の断面を通しての吸湿は熱プレス部３を施さない場合と比較して６０〜７０％の吸湿に抑えることができる。熱プレス部３を形成する方法としては、周縁熱接着部２を形成した後に周縁熱接着部２の外周端に沿って狭い幅の熱板によりプレスすることにより行うことができる。また、周縁熱接着部を形成するための熱板の外周を一定幅で凸状にした形状としておくことにより行うこともできる。熱プレス部３の幅としては１．０ｍｍ程度とするのが好ましい。
【００１４】
実施形態の易開封袋を開封する方法は、袋の角部を非熱接着部とすることにより形成された開封用の摘み部４の部分にて、２枚の積層フィルムを摘んで引き剥がすことにより周縁熱接着部２を剥離させて容易に開封することができる。実施形態の積層フィルムは基材層とアルミニウム箔層と中間フィルム層と易剥離性樹脂層が積層された４層構成となっており、適度の可撓性と剛性を有しているので開封作業を容易に行うことができる。
【００１５】
積層フィルムの基材層11としては、２軸延伸ポリエチレンテレフタレート、２軸延伸ポリプロピレン、２軸延伸ナイロン等の２軸延伸フイルムが使用できる。アルミニウム箔層12としてはピンホールのない厚さ１５〜３０μｍのものが使用できる。３０μｍよりも厚いアルミニウム箔を使用することもできるがコストアップとなるので好ましくない。中間フィルム層13としては、２軸延伸ポリエチレンテレフタレート、ポリカーボネート、ポリエチレンナフタレート、２軸延伸ポリプロピレン等の耐熱性および防湿性の優れたプラスチックフィルムが使用できる。蒸着層14としてはアルミニウム等の金属からなる蒸着層、酸化珪素、酸化アルミニウム等の金属酸化物からなる蒸着層が好適に使用できる。
【００１６】
易剥離性樹脂層15としては、低密度ポリエチレン、線状低密度ポリエチレン、中密度ポリエチレン、高密度ポリエチレン、ポリプロピレン、エチレン−プロピレン共重合体等のオレフィン系樹脂５０〜６０重量％と、スチレン、メチルメタクリレート等のビニル単量体５０〜４０重量％とを、有機過酸化物、アゾ化合物等の汎用のラジカル発生剤を使用してグラフト反応条件に付して得られる改質オレフィン系樹脂が使用できる。易剥離性樹脂層として上記の改質オレフィン系樹脂を使用した場合、易剥離性樹脂層の熱接着強度は４００〜８００ｇ／１５ｍｍ幅となり容易に剥離できる強度とすることができる。また、易剥離性樹脂層を形成する樹脂として、低密度ポリエチレン、線状低密度ポリエチレン、中密度ポリエチレン、高密度ポリエチレン、ポリプロピレン、エチレン−プロピレン共重合体等のオレフィン系樹脂にポリブテン−１を２０〜２５重量％ブレンドした樹脂を使用することもできる。
【００１７】
易剥離性樹脂層15の厚さとしては、易剥離性が得られる範囲内で薄くすることが好ましく、２０〜４０μｍとするのが適当である。易剥離性樹脂層15の厚さを２０μｍより薄くすると、断面を通しての吸湿は少なくなるが易剥離性が損なわれるおそれがあり、逆に、易剥離性樹脂層15の厚さを４０μｍより厚くすると、易剥離性は良好となるが断面を通しての吸湿が多くなるので好ましくない。第１、第２実施形態において、易開封袋を構成する２枚の積層フィルムの一方の積層フィルムの内面を易剥離性樹脂層とせずに、低密度ポリエチレン、線状低密度ポリエチレン、中密度ポリエチレン、高密度ポリエチレン、ポリプロピレン、エチレン−プロピレン共重合体等にて構成してもよく、その構成とした場合においても袋の易開封性は確保することができる。
【００１８】
積層フイルム10,10'の構成としては、例えば、中間フィルム層の内面側に蒸着層を有する構成としては、２軸延伸ポリエチレンテレフタレート（ＰＥＴ）／印刷層／ドライラミネーション（ＤＬ）／アルミニウム箔（ＡＬ）／ＤＬ／ＰＥＴ／アルミニウム蒸着層／易剥離性樹脂層、ＰＥＴ／印刷層／ＤＬ／ＡＬ／ＤＬ／ＰＥＴ／酸化珪素蒸着層／易剥離性樹脂層、ＰＥＴ／印刷層／ＤＬ／ＡＬ／ＤＬ／２軸延伸ポリプロピレン（ＯＰＰ）／酸化珪素蒸着層／易剥離性樹脂層、ＰＥＴ／印刷層／ＤＬ／ＡＬ／ＤＬ／２軸延伸ナイロン（ＯＮ）／酸化珪素蒸着層／易剥離性樹脂層等であり、中間フィルム層の内面側に蒸着層を有しない構成としては、ＰＥＴ／印刷層／ＤＬ／ＡＬ／ＤＬ／ＰＥＴ／易剥離性樹脂層、ＰＥＴ／印刷層／ＤＬ／ＡＬ／ＤＬ／ＯＰＰ／易剥離性樹脂層等である。
【００１９】
【発明の効果】
基材層とアルミニウム箔層と中間フィルム層と易剥離性樹脂層を有する積層フィルムからなり、積層フィルムの易剥離性樹脂層面同士を対向させ重ね合わせ周縁部に周縁熱接着部が形成された構成の易開封袋であって、アルミニウム箔層が厚さ１５〜３０μｍのアルミニウム箔からなる構成とすることにより、厚さが１５μｍ以上のアルミニウム箔の場合にはアルミニウム箔にピンホールがなくなるため、袋の面を通しての防湿性が完全であり、且つ適度の可撓性と剛性を備えた易開封袋とすることができる。
【００２０】
さらに、周縁熱接着部の外周端に沿って狭幅の熱プレス部が形成され、熱プレス部における易剥離性樹脂層の厚さが薄くされた構成とすることにより、周縁熱接着部の外周端におけるアルミニウム箔の内側に積層されている易剥離性樹脂層の断面積が小さくなるため、周縁熱接着部における易剥離性樹脂層の断面を通しての吸湿を少なくした防湿性が優れた易開封袋とすることができる。
【００２１】
上記の防湿性の優れた易開封袋において、中間フィルム層を２軸延伸ポリエチレンテレフタレートフィルムとしてその内面側に金属または金属酸化物蒸着層を形成した構成とすることにより、周縁熱接着部における中間フィルム層の断面を通しての吸湿を金属または金属酸化物蒸着層にて遮断することができるので、周縁熱接着部におけるアルミニウム箔の内面側に積層された層の断面からの吸湿を抑えることができる。また、２軸延伸ポリエチレンテレフタレートフィルムは耐熱性に優れるため、金属または金属酸化物蒸着層を厚く形成することが可能となり、中間フィルム層の断面からの吸湿を確実に遮断することができる。
【図面の簡単な説明】
【図１】本発明の第１実施形態の易開封袋を示す平面図。
【図２】図１におけるＩ−Ｉ拡大断面図。
【図３】本発明の第２実施形態の図２に対応する拡大断面図。
【符号の説明】
２  周縁熱接着部
３  熱プレス部
４  摘み部
５  内容物
10，10’  積層フィルム
11  基材層
12  アルミニウム箔層
13  中間フィルム層
14  蒸着層
15  易剥離性樹脂層
【図１】
0004450932.tif 000002
【図２】
0004450932.tif 000003
【図３】
0004450932.tif 000004